(57)【要約】【課題】  ボード部材の上面から床板までの高さが異なるベッドに使用しても、見栄えのよいベッド用のカバー部材を提供すること。【解決手段】  ベッド１のヘッドボード２の正面を覆う正面カバー１１と、正面カバー１１と対向しボード部材の裏面１２を覆う裏面カバー１２と、正面カバー１１と裏面カバー１２の間でボード部材２の側面を覆う側面カバー１３と、正面カバー１１と裏面カバー１２と側面カバー１３と繋がりヘッドボード２の上面を覆う上面カバー１４と、を備えるヘッドボードカバー１０であって、正面カバー１１は、下端にヘッドボード１０または床板３の上部を覆う折り曲げ自在なひだ部１５を備える。【選択図】  図１
2011015888.tif 000002
【特許請求の範囲】
【請求項１】
ベッドのボード部材の正面を覆う正面カバーと、
前記正面カバーと対向し前記ボード部材の裏面を覆う裏面カバーと、
前記正面カバーと前記裏面カバーの間で前記ボード部材の側面を覆う側面カバーと、
前記正面カバーと前記裏面カバーと前記側面カバーと繋がり前記ボード部材の上面を覆う上面カバーと、を備えるベッド用のカバー部材であって、
前記正面カバーは、下端に前記ボード部材または床板上部を覆う折り曲げ自在な折曲部を備えることを特徴とするベッド用のカバー部材。
【請求項２】
前記折曲部は、前記ボード部材の幅方向に突出する突出部を有し、前記突出部の裏地に留め部材を設けたことを特徴とする請求項１に記載のベッド用のカバー部材。
【請求項３】
前記留め部材は、面ファスナーであることを特徴とする請求項１または請求項２に記載のベッド用のカバー部材。
【発明の詳細な説明】
【技術分野】
【０００１】
本発明は、ヘッドボードまたはフッドボードに被せるベッド用のカバー部材に関する。
【背景技術】
【０００２】
従来技術として、ベッドの骨格部材であるヘッドボードとフットボードは、対面する一対の格子パネルで構成され、一対の格子パネルは、前面格子パネルと後面格子パネルを間隔をあけて配置し、一対の格子パネルは、上部支持杆と下部支持杆との間に固定したものであり、下部支持杆にベッド本体との止着部材が設けられ、一対の格子パネルにはクッション性のカバー部材が被着されたものが開示されている（例えば、特許文献１参照。）。
【先行技術文献】
【特許文献】
【０００３】
【特許文献１】特開２００８−４３３５３号公報
【発明の概要】
【発明が解決しようとする課題】
【０００４】
しかしながら、従来文献１で用いられるカバー部材は、下部支持杆にベッド本体との止着部材が設けられるため、ヘッドボード上面と床板の装着位置に合わせた切込み部を備える。そのため、ヘッドボード上面から床板位置の高さが異なるベッドにカバー部材を使用する場合、ヘッドボード上面と床板の距離が短いと、ヘッドボード上面でカバー部材が余ってしまい、またヘッドボード上面と床板の距離が長いと、図９に示すようにマットレス面より上に切込み部が出てしまい見栄えが悪くなる問題がある。そのため、ヘッドボード上面から床板位置の高さが異なるベッドにカバー部材を使用する場合、ヘッドボード上面と床板の距離に応じてその都度カバー部材を用意しなければならなかった。
【０００５】
本発明は上記の問題点に鑑みてなされたものであり、ボード部材の上面から床板までの高さが異なるベッドにカバー部材を使用する場合でも、見栄えのよいカバー部材を提供することを目的とする。
【課題を解決するための手段】
【０００６】
上述の課題を解決するために講じた第１の手段は、ベッドのボード部材の正面を覆う正面カバーと、前記正面カバーと対向し前記ボード部材の裏面を覆う裏面カバーと、前記正面カバーと前記裏面カバーの間で前記ボード部材の側面を覆う側面カバーと、前記正面カバーと前記裏面カバーと前記側面カバーと繋がり前記ボード部材の上面を覆う上面カバーと、を備えるカバー部材であって、前記正面カバーは、下端に前記ボード部材または床板上部を覆う折り曲げ自在な折曲部を備える構成である。
【０００７】
また、第２の課題解決手段は、前記折曲部は、前記ボード部材の幅方向に突出する突出部を有し、前記突出部の裏地に留め部材を設けた構成である。
【０００８】
また、第３の課題解決手段は、前記留め部材は、面ファスナーで構成したことである。
【発明の効果】
【０００９】
本発明によれば、カバー部材の正面カバーの下端には、ボード部材または床板上部を覆う折り曲げ自在な折曲部を備えるため、ボード部材上面と床板の距離が異なるベッドに使用する場合でも、折曲部をボード部材の上面から床板までの高さが異なるベッドのボード部材に応じてボード部や床板上部を覆うように折り曲げて使用することで、ボード部材の上面でカバー部材が余ったり、マットレス面より上に切込み部が出てしまい見栄えが悪くなる問題を解決できる。また、ボード部材の上面と床板までの距離に応じてその都度カバー部材を用意する必要がないため、生産性が向上しコスト低減が可能になる。
【００１０】
また、折曲部は、ボード部材の幅方向に突出する突出部を有し、突出部の裏地に留め部材を設けるため、カバー部材をボード部材に装着する際にボード部材の側面又は裏面で突出部を固定でき、ボード部材を隙間なくカバー部材で覆うことができる。また、突出部を固定することで、折曲部の膨れや、カバー部材の位置ずれを防止できる。
【００１１】
また、留め部材に面ファスナーを用いることでカバー部材のボード部材への着脱が容易になる。
【図面の簡単な説明】
【００１２】
【図１】本発明のヘッドボードカバーの斜視図である。
【図２】ヘッドボードカバーをベッドのヘッドボードの上からかぶせる状態を示す説明図で、（ａ）は正面側斜視図、（ｂ）裏面側斜視図である。
【図３】ヘッドボードカバーをベッドのヘッドボードの上からかぶせ、ヘッドボードカバーの下部をめくり上げた状態を示す説明図で、（ａ）は正面側斜視図、（ｂ）裏面側斜視図である。
【図４】ミミ部をヘッドボードにまき込むようにして貼り合わせる状態を示す説明図で、（ａ）は正面側斜視図、（ｂ）裏面側斜視図である。
【図５】めくり上げたヘッドボードカバーを下げる状態を説明する裏面側斜視図である。
【図６】ヘッドボードカバーをベッドのヘッドボードの上からかぶせる状態を示す説明図で、（ａ）は正面側斜視図、（ｂ）裏面側斜視図である。
【図７】ヘッドボードカバーをヘッドボードに面ファスナーで取り付ける状態を示す説明図で、（ａ）は正面側斜視図、（ｂ）側面側断面図である。
【図８】ヘッドボードカバーのひだ部のミミ部を内側に折りたたんだ状態を説明する正面側斜視図である。
【図９】従来のカバー部材をヘッドボードに被せた状態を示す正面斜視図である。
【発明を実施するための形態】
【００１３】
以下、本発明の実施の形態について図面を参照して説明する。
【００１４】
図１は、本発明のヘッドボードカバー１０（カバー部材）の斜視図である。ヘッドボードカバー１０は、正面カバー１１と、裏面カバー１２と、側面カバー１３と、上面カバー１４と、正面カバー１１の下端に折り曲げ自在に設けられたひだ部１５（折曲部）から構成される。ひだ部１５は、幅方向両側に突出するミミ部１６（突出部）を有し、ミミ部１６の裏地には面ファスナー１７（留め部材）が設けられている。
【００１５】
本発明のヘッドボードカバー１０の取り付け方法を図２〜図８を用いて説明する。図２〜図５は、ヘッドボードカバー１０をベッド１のヘッドボード２へ取り付ける方法を示す説明図で、図６〜図８は、ヘッドボードカバー１０をベッド１ａのヘッドボード２ａへ取り付ける方法を示す説明図である。ベッド１とベッド１ａの違いは、ヘッドボード２の上面から床板３までの高さＬ１と、ヘッドボード２ａの上面から床板３ａまでの高さＬ２が異なる（Ｌ１＞Ｌ２）ことで、その他の構成は同一である。
【００１６】
図２は、ヘッドボードカバー１０をベッド１のヘッドボード２の上からかぶせる状態を示す説明図で、（ａ）は正面側斜視図、（ｂ）裏面側斜視図である。ヘッドボードカバー１０は、ミミ部１６が付いている方を正面にして、ヘッドボード２の上方から被せられる。ヘッドボードカバー１０の裏地には複数の面ファスナー１７（留め部材）が設けてある。またヘッドボード２には、ヘッドボードカバー１０の裏地に設けた面ファスナー１７と対応する位置に、複数の面ファスナー１８が設けてある。また、床板３の底面には脚部４を設けてある。ヘッドボード２の上面から床板３までの高さはＬ１である。
【００１７】
図３は、ヘッドボードカバー１０をベッド１のヘッドボード２の上から被せ、ヘッドボードカバー１０の下部をめくり上げた状態を示す説明図で、（ａ）は正面側斜視図、（ｂ）裏面側斜視図である。この際、ヘッドボード２の正面の面ファスナー１８と、ヘッドボードカバー１０の正面カバー１１の裏地に設けた面ファスナー１７は、貼り合わせた状態にする。
【００１８】
図４は、ミミ部１６をヘッドボード２にまき込むようにして貼り合わせる状態を示す説明図で、（ａ）は正面側斜視図、（ｂ）裏面側斜視図である。ミミ部１６の裏地に設けた面ファスナー１７は、ヘッドボード２の裏面に設けた面ファスナー１８に取り付けられる。
【００１９】
図５は、めくり上げたヘッドボードカバー１０を下げる状態を説明する裏面側斜視図である。めくり上げたヘッドボードカバー１０を下げると、裏面カバー１２と側面カバー１３の裏地に設けた面ファスナー１７は、ヘッドボード２の裏面と側面に設けた面ファスナー１８に取り付き、ヘッドボードカバー１０のヘッドボード２への取り付けは完了する。このとき、ひだ部１５は、ヘッドボード２の正面を覆い、ミミ部１６は、ヘッドボード２の側面と裏面を覆う。
【００２０】
図６は、ヘッドボードカバー１０をベッド１ａのヘッドボード２ａの上からかぶせる状態を示す説明図で、（ａ）は正面側斜視図、（ｂ）裏面側斜視図である。ヘッドボードカバー１０は、ミミ部１６が付いている方を正面にして、ヘッドボード２ａの上方から被せられる。ヘッドボードカバー１０の裏地には複数の面ファスナー１７（留め部材）が設けてある。またヘッドボード２ａには、ヘッドボードカバー１０の裏地に設けた面ファスナー１７と対応する位置に、複数の面ファスナー１８が設けてある。また、床板３ａの底面には脚部４を設けてある。ヘッドボード２ａの上面から床板３ａまでの高さはＬ２である。
【００２１】
図７は、ヘッドボードカバー１０をヘッドボード２ａに面ファスナー１７で取り付ける状態を示す説明図で、（ａ）は正面側斜視図、（ｂ）側面側断面図である。ヘッドボードカバー１０は、ヘッドボード２ａの正面、裏面、側面の順で、ヘッドボードカバー１０の裏地の面ファスナー１７とヘッドボード２ａの面ファスナー１８が取り付く。
【００２２】
図８は、ヘッドボードカバー１０のひだ部１５のミミ部１６を内側に折りたたんだ状態を説明する正面側斜視図である。ミミ部１６は床板３ａ上に折りたたんだ状態でマットレス（図示省略）に挟まれて固定される。
【００２３】
本実施例では、ヘッドボードカバー１０の正面カバー１１の下端には、ヘッドボード２、２ａまたは床板３、３ａの上部を覆う折り曲げ自在なひだ部１５を備えるため、ヘッドボード２、２ａの上面と床板３、３ａの距離Ｌ１、Ｌ２（Ｌ１＞Ｌ２）が異なるベッド１、１ａに使用する場合でも、ひだ部１５をヘッドボード２、２ａの上面から床板までの高さが異なるベッド１、１ａのヘッドボード２、２ａに応じてヘッドボード２、２ａや床板３、３ａの上部を覆うように折り曲げて使用することで、ヘッドボード２、２ａの上面でヘッドボードカバー１０が余ったり、マットレス面より上に切込み部が出てしまい見栄えが悪くなる問題を解決できる。また、ヘッドボード２、２ａの上面と床板３、３ａの距離Ｌ１、Ｌ２に応じてその都度ヘッドボードカバー１０を用意する必要がないため、生産性が向上しコスト低減が可能になる。
【００２４】
また、ひだ部１５は、ヘッドボード２、２ａの幅方向に突出するミミ部１６を有し、ミミ部１６の裏地に面ファスナー１７を設けるため、ヘッドボードカバー１０をヘッドボード２、２ａに装着する際にヘッドボード２、２ａの側面又は裏面でミミ部１６を固定でき、ヘッドボード２、２ａを隙間なくヘッドボードカバー１０で覆うことができる。また、ミミ部を固定することで、ひだ部１５の膨れや、ヘッドボードカバー１０の位置ずれを防止できる。
【００２５】
また、面ファスナー１７を用いることでヘッドボードカバー１０のヘッドボード２、２ａへの着脱が容易になる。
【００２６】
本実施例では、ヘッドボードカバー１０について説明したが、フッドボードに被せるフッドボードカバーに適用してもよい。その場合、見栄えのよいフッドボードカバーが得られる。
【符号の説明】
【００２７】
１  ベッド
２  ヘッドボード（ボード部材）
３  床板
１０  ヘッドボードカバー（カバー部材）
１１  正面カバー
１２  裏面カバー
１３  側面カバー
１４  上面カバー
１５  ひだ部（折曲部）
１６  ミミ部（突出部）
１７  面ファスナー（留め部材）
【図１】
2011015888.tif 000003
【図２】
2011015888.tif 000004
【図３】
2011015888.tif 000005
【図４】
2011015888.tif 000006
【図５】
2011015888.tif 000007
【図６】
2011015888.tif 000008
【図７】
2011015888.tif 000009
【図８】
2011015888.tif 000010
【図９】
2011015888.tif 000011